(57)【要約】      （修正有）【課題】フットウェア装置の下側部分内の空洞部の中に受け入れられ得る、くつ紐締め付けのためのレーシング・エンジンを提供する。【解決手段】電動式レーシング・システム１は、レーシング・エンジン１０、蓋２０、アクチュエータ３０、ミッドソール・プレート４０、ミッドソール５０、およびアウトソール６０を含む。レーシング・エンジンは、頂部搭載型のレース・スプールを含むことが可能であり、レース・スプールの回転を通してレースの有効長さの操作を可能にするようにレースのループに係合し、レーシング・エンジンは、下側部分内の空洞部の中に受け入れられている。【選択図】図1
2020054831.tif 000002
【特許請求の範囲】
【請求項１】
レースを含むアッパー部分であって、前記レースは、前記アッパー部分を足に合わせるように調節するためのものであり、前記レースは、前記レースの有効長さの操作に少なくとも部分的に基づいて、第１の位置と第２の位置との間で調節可能である、アッパー部分と、
ミッドソールおよびアウトソールを含む下側部分であって、前記下側部分は、前記ミッドソールにおいて前記アッパー部分に連結されている、下側部分と、
頂部搭載型のレース・スプールを含むレーシング・エンジンであって、前記レース・スプールの回転を通して前記レースの前記有効長さの操作を可能にするように前記レースのループに係合し、前記レーシング・エンジンは、前記下側部分内の空洞部の中に受け入れられている、レーシング・エンジンと、
を備える、モジュール式のフットウェア装置。
【請求項２】
前記下側部分内の前記空洞部は、前記レーシング・エンジンを取り外し可能に受け入れるように適合されている、請求項１に記載のモジュール式のフットウェア装置。
【請求項３】
頂部搭載型の前記スプールは、レース溝部を含み、
前記レース溝部は、前記スプールの直径線上に延びて、前記レースの前記ループを受け
入れる、請求項１に記載のモジュール式のフットウェア装置。
【請求項４】
前記レーシング・エンジンは、レース溝を備えた頂部を含み、
前記レース溝は、頂部搭載型の前記レース・スプールと整合して、内外方向に延びてい
る、請求項１に記載のモジュール式のフットウェア装置。
【請求項５】
前記レース溝は、頂部搭載型の前記レース・スプールの内側にある内側部分と、頂部搭載型の前記レース・スプールの外側にある外側部分と、を含む、請求項４に記載のモジュール式のフットウェア装置。
【請求項６】
前記レース溝の前記内側部分および前記外側部分は、スプール凹部へと移行している、請求項５に記載のモジュール式のフットウェア装置。
【請求項７】
前記スプール凹部は、頂部搭載型の前記レース・スプールの上面の外径の部分に対応する、対向する半円形部を含む、請求項６に記載のモジュール式のフットウェア装置。
【請求項８】
頂部搭載型の前記レース・スプールは前記上面より下に縮径部を含み、
前記縮径部は、前記レースが頂部搭載型の前記レース・スプールに巻き取られるときに前記レースの一部分を収容するべく、前記スプール凹部と協働してレース凹部を形成する、請求項７に記載のモジュール式のフットウェア装置。
【請求項９】
前記レーシング・エンジンは、概して円形の凹部を備えた頂面を含み、頂部搭載型の前記レース・スプールの上面を露出させ、頂部搭載型の前記レース・スプールの前記上面は、レース溝部によって２つの半円形部分に二分されている、請求項１に記載のモジュール式のフットウェア装置。
【請求項１０】
前記レース溝部は、頂部搭載型の前記スプールの前記上面を縮径スプール部分へと二分し、前記縮径スプール部分は、頂部搭載型の前記スプールが第１方向に回転させられるときに、前記レースを受け入れるように適合されている、請求項９に記載のモジュール式のフットウェア装置。
【請求項１１】
前記ミッドソールは、ミッドソール・プレートを含み、前記レーシング・エンジンを受け入れる、請求項１〜１０のいずれか１項に記載のモジュール式のフットウェア装置。
【請求項１２】
前記ミッドソール・プレートは、前記下側部分の残りの部分よりも実質的に剛性が高い材料から形成されている、請求項１１に記載のモジュール式のフットウェア装置。
【請求項１３】
前記ミッドソール・プレートは、内側レース・ガイドおよび外側レース・ガイドを含む、請求項１１に記載のモジュール式のフットウェア装置。
【請求項１４】
前記ミッドソール・プレートは、前記ミッドソール・プレートを前記下側部分内で安定させるために、前部フランジおよび後部フランジを含む、請求項１１に記載のモジュール式のフットウェア装置。
【請求項１５】
前記ミッドソール・プレートは、蓋を受け入れて固定するために、内側の蓋スロット、外側の蓋スロット、および蓋ラッチ凹部を含む、請求項１１に記載のモジュール式のフットウェア装置。
【請求項１６】
前記蓋は、前記ミッドソール・プレートに固定されると、前記ミッドソール・プレート内の前記空洞部の中に前記レーシング・エンジンを保つ、請求項１５に記載のモジュール式のフットウェア装置。
【請求項１７】
前記アッパー部分は内側開口部を含み、
前記レースの少なくとも一部分は、前記内側開口部にわたっている、請求項１に記載のモジュール式のフットウェア装置。
【請求項１８】
前記アッパー部分は、編織物の連続的な部品から形成されている、請求項１に記載のモジュール式のフットウェア装置。
【請求項１９】
前記レースは、前記アッパー部分の第１の場所および第２の場所に固定されている、請求項１７または１８に記載のモジュール式のフットウェア装置。
【請求項２０】
前記レースは、前記アッパー部分に付着または一体化されている複数のレース・ガイドを通されている、請求項１９に記載のモジュール式のフットウェア装置。
【請求項２１】
上側部および下側部を含むハウジングであって、前記上側部は、レース溝およびスプール凹部を含む、ハウジングと、
前記ハウジングの前記上側部内の前記スプール凹部の中に配設されているレース・スプールであって、前記レース・スプールは、レース・ケーブルを受け入れるために、上面内にレース溝部を含み、また、前記ハウジングの中へ下方に延在するスプール軸を含む、レース・スプールと、
前記スプール軸の下端部に連結されているウォーム・ギヤであって、前記ウォーム・ギヤは、前記ハウジングの中の駆動システムからの入力を受け入れるように構成されており、前記レース・スプールが第１方向に回転するときに前記レース・スプールに前記レース・ケーブルを巻き取るように、前記レース・スプールを回転させる、ウォーム・ギヤと、を含む、モジュール式のレーシング・エンジン。
【請求項２２】
前記駆動システムは、
前記ウォーム・ギヤに係合するためのウォーム駆動部と、
前記ウォーム駆動部に連結されているギヤ・モータと、
を含む、請求項２１に記載のモジュール式のレーシング・エンジン。
【請求項２３】
前記ギヤ・モータは、ギヤ・ボックスを介して前記ウォーム駆動部に連結されている、請求項２２に記載のモジュール式のレーシング・エンジン。
【請求項２４】
前記ウォーム駆動部は、荷重を伝達するように前記ウォーム・ギヤに対して位置決めされており、前記荷重は、前記レース・ケーブルにかかる張力によって生成され、また、前記ギヤ・モータから離れるように前記ウォーム・ギヤによって前記ウォーム駆動部に伝達される、請求項２２に記載のモジュール式のレーシング・エンジン。
【請求項２５】
前記ウォーム駆動部は、前記レース・ケーブルにかかる張力によって生成される前記荷重を吸収するように、前記ギヤ・モータの反対側においてブッシングに連結されている、請求項２４に記載のモジュール式のレーシング・エンジン。
【請求項２６】
前記スプール凹部は、頂部搭載型の前記レース・スプールの上面の外径の部分に対応する、対向する半円形部を含む、請求項２１〜２５のいずれか１項に記載のモジュール式のレーシング・エンジン。
【請求項２７】
前記レース・スプールは、前記上面より下に縮径部を含み、
前記縮径部は、前記レースが前記レース・スプールに巻き取られるときに前記レースの一部分を収容するべく、前記スプール凹部と協働してレース凹部を形成する、請求項２６に記載のモジュール式のレーシング・エンジン。
【請求項２８】
前記レース・スプール、レース溝部、およびスプール軸は、単一の部品である、請求項２１に記載のモジュール式のレーシング・エンジン。
【請求項２９】
前記レース軸は、クラッチ・システムを通して前記ウォーム・ギヤに連結されており、前記クラッチ・システムは、前記レース・スプールが作動停止させられたときに自由に回転することを可能にする、請求項２１に記載のモジュール式のレーシング・エンジン。
【発明の詳細な説明】
【技術分野】
【０００１】
以下の明細書は、電動式レーシング（ｌａｃｉｎｇ）・システム、電動式および非電動式のレーシング・エンジン、レーシング・エンジンに関連するフットウェアの構成要素、自動化されたレーシング・フットウェア・プラットフォーム、ならびに、関連の組み立てプロセスのさまざまな態様を説明している。
【背景技術】
【０００２】
フットウェアの物品を自動的に締め付けるためのデバイスが、以前に提案されている。「自動締め付けシューズ（Ａｕｔｏｍａｔｉｃ  ｔｉｇｈｔｅｎｉｎｇ  ｓｈｏｅ）」という標題の特許文献１において、リウ（Ｌｉｕ）は、くつのアッパー部分の上に装着される第１の締結具と、クロージャ部材に接続されている第２の締結具とを提供し、第２の締結具は、締め付けられた状態にクロージャ部材を保つために、第１の締結具と取り外し可能に係合することができる。リウ（Ｌｉｕ）は、ソールのかかと部分に装着される駆動ユニットを教示している。駆動ユニットは、ハウジング、ハウジングの中に回転可能に装着されたスプール、１対の引き紐、およびモータ・ユニットを含む。それぞれの紐は、スプールに接続されている第１の端部と、第２の締結具の中の紐孔に対応する第２の端部とを有している。モータ・ユニットは、スプールに連結されている。リウ（Ｌｉｕ）は、モータ・ユニットがハウジングの中のスプールの回転を駆動するように動作可能であり、第１の締結具に向けて第２の締結具を引っ張るために、スプールの上に引き紐を巻き上げるということを教示している。また、リウ（Ｌｉｕ）は、ガイド・チューブ・ユニットを教示しており、引き紐がガイド・チューブ・ユニットを通って延在することが可能である。
【先行技術文献】
【特許文献】
【０００３】
【特許文献１】米国特許第６，６９１，４３３号明細書
【発明の概要】
【発明が解決しようとする課題】
【０００４】
本発明者らは、なかでも、くつ紐（ｓｈｏｅ  ｌａｃｅｓ、シュー・レース）の自動化されたおよび半自動化された締め付けのための改善されたモジュール式のレーシング・エンジンに対する必要性を認識した。本明細書は、なかでも、モジュール式のレーシング・エンジンおよび関連のフットウェアの構成要素の機械設計を説明している。以下の例は、本明細書で議論されているモジュール式のレーシング・エンジンおよびそれを支持するフットウェアの構成要素の非限定的な概要を提供する。
【課題を解決するための手段】
【０００５】
例１は、モジュール式のフットウェア装置を含む主題を説明している。モジュール式のフットウェア装置は、アッパー部分と、下側部分と、レーシング・エンジンと、を含むことが可能である。アッパー部分は、アッパー部分を足に合わせるように調節するために、レース（ｌａｃｅ、紐）を含むことが可能であり、レースは、レースの有効長さの操作に少なくとも部分的に基づいて、第１の位置と第２の位置との間で調節可能である。下側部分は、ミッドソールおよびアウトソールを含むことが可能である。付加的に、下側部分は、ミッドソールにおいてアッパー部分に連結され得る。レーシング・エンジンは、頂部搭載型のレース・スプール（ｔｏｐ−ｌｏａｄｉｎｇ  ｌａｃｅ  ｓｐｏｏｌ）を含むことが可能であり、レース・スプールの回転を通してレースの有効長さの操作を可能にするようにレースのループに係合し、レーシング・エンジンは、フットウェア装置の下側部分内の空洞部の中に受け入れられ得る。
【０００６】
例２では、例１の主題は、任意に、下側部分内に空洞部を含むことが可能であり、空洞部は、レーシング・エンジンを取り外し可能に受け入れるように適合されている。
例３では、例１または２の主題は、任意に、レース溝部を有する頂部搭載型のスプールを含むことが可能であり、レース溝部は、スプールの直径線上に延びて、レースのループを受け入れる。
【０００７】
例４では、例１〜３のいずれか１つの主題は、任意に、レース溝を備えた頂部を有するレーシング・エンジンを含むことが可能であり、レース溝は、頂部搭載型のレース・スプールと整合して、内外方向に延びている。
【０００８】
例５では、例４の主題は、任意に、頂部搭載型のレース・スプールの内側にある内側部分と、頂部搭載型のレース・スプールの外側にある外側部分とを有する、レース溝を含むことが可能である。
【０００９】
例６では、例５の主題は、任意に、スプール凹部へと移行する、レース溝の内側部分および外側部分を含むことが可能である。
例７では、例６の主題は、任意に、頂部搭載型のレース・スプールの上面の外径の部分に対応する、対向する半円形部を有する、スプール凹部を含むことが可能である。
【００１０】
例８では、例７の主題は、任意に、上面より下に縮径部を含む頂部搭載型のレース・スプールを含むことが可能であり、縮径部は、レースが頂部搭載型のレース・スプールに巻き取られるときにレースの一部分を収容するべく、スプール凹部と協働してレース凹部を形成する。
【００１１】
例９では、例１〜８のいずれか１つの主題は、任意に、概して円形の凹部を備えた上面を有するレーシング・エンジンを含むことが可能であり、頂部搭載型のレース・スプールの上面を露出させ、頂部搭載型のレース・スプールの上面は、レース溝部によって２つの半円形部分に二分されている。
【００１２】
例１０では、例９の主題は、任意に、レース溝部を含むことが可能であり、レース溝部は、頂部搭載型のスプールの上面を縮径スプール部分へと二分し、縮径スプール部分は、頂部搭載型のスプールが第１方向に回転させられるときに、レースを受け入れるように適合されている。
【００１３】
例１１では、例１〜１０のいずれか１つの主題は、任意に、ミッドソール・プレートを有するミッドソールを含むことが可能であり、レーシング・エンジンを受け入れる。
例１２では、例１１の主題は、任意に、下側部分の残りの部分よりも実質的に剛性が高い材料から形成されているミッドソール・プレートを含むことが可能である。
【００１４】
例１３では、例１１または１２の主題は、任意に、内側レース・ガイドおよび外側レース・ガイドを有するミッドソール・プレートを含むことが可能である。
例１４では、例１１〜１３のいずれか１つの主題は、任意に、ミッドソール・プレートを下側部分内で安定させるために、前部フランジおよび後部フランジを有するミッドソール・プレートを含むことが可能である。
【００１５】
例１５では、例１１〜１４のいずれか１つの主題は、任意に、蓋を受け入れて固定するために、内側の蓋スロット、外側の蓋スロット、および蓋ラッチ凹部を有する、ミッドソール・プレートを含むことが可能である。
【００１６】
例１６では、例１５の主題は、任意に、ミッドソール・プレートに固定されると、ミッドソール・プレート内の空洞部の中にレーシング・エンジンを保つことができる、蓋を含むことが可能である。
【００１７】
例１７では、例１〜１６のいずれか１つの主題は、任意に、内側開口部を有するアッパー部分を含むことが可能であり、レースの少なくとも一部分は、内側開口部にわたっている。
【００１８】
例１８では、例１〜１６のいずれか１つの主題は、任意に、編織物の連続的な部品から形成されているアッパー部分を含むことが可能である。
例１９では、例１７または１８の主題は、任意に、アッパー部分の第１の場所および第２の場所に固定されているレースを含むことが可能である。
【００１９】
例２０では、例１９の主題は、任意に、アッパー部分に付着または一体化されている複数のレース・ガイドを通されているレースを含むことが可能である。
例２１は、モジュール式のレーシング・エンジンを説明している。この例では、モジュール式のレーシング・エンジンは、ハウジングと、レース・スプールと、ウォーム・ギヤと、を含むことが可能である。ハウジングは、上側部および下側部を含むことが可能であり、上側部は、レース溝およびスプール凹部を含むことが可能である。上側部および下側部は、モジュール式のレーシング・エンジンの構成要素を含有するために、ハウジングの中に内部スペースを生成させることが可能である。レース・スプールは、ハウジングの上側部の中のスプール凹部の中に配設され得る。レース・スプールは、レース・ケーブルを受け入れるために、上面の中にレース溝部を含み、また、ハウジングの内部スペースの中へ上側部を通して下方に延在するスプール軸を含む。ウォーム・ギヤは、スプール軸の下端部に連結され得、また、ウォーム・ギヤは、ハウジングの中の駆動システムからの入力を受け入れるように構成されることが可能であり、レース・スプールが第１方向に回転するときにレース・スプールにレース・ケーブルを巻き取るように、レース・スプールを回転させる。
【００２０】
例２２では、例２１の主題は、任意に、ウォーム・ギヤに係合するためのウォーム駆動部と、ウォーム駆動部に連結されているギヤ・モータと、を有する、駆動システムを含むことが可能である。
【００２１】
例２３では、例２２の主題は、任意に、ギヤ・ボックスを介してウォーム駆動部に連結されているギヤ・モータを含むことが可能である。
例２４では、例２２の主題は、任意に、荷重を伝達するようにウォーム・ギヤに対して位置決めされているウォーム駆動部を含むことが可能であり、荷重は、レース・ケーブルにかかる張力によって生成され、また、ギヤ・モータから離れるようにウォーム・ギヤによってウォーム駆動部に伝達される。
【００２２】
例２５では、例２４の主題は、任意に、レース・ケーブルにかかる張力によって生成される荷重を吸収するように、ギヤ・モータの反対側においてブッシングに連結されているウォーム駆動部を含むことが可能であり、荷重は、スプール軸上に配設されているウォーム・ギヤによってウォーム駆動部に伝達される。
【００２３】
例２６では、例２１〜２４のいずれか１つの主題は、任意に、頂部搭載型のレース・スプールの上面の外径の部分に対応する、対向する半円形部を有するスプール凹部を含むことが可能である。
【００２４】
例２７では、例２６の主題は、任意に、上面より下に縮径部を有するレース・スプールを含むことが可能であり、縮径部は、レースがレース・スプールに巻き取られるときにレ
ースの一部分を収容するべく、スプール凹部と協働してレース凹部を形成する。
【００２５】
例２８では、例２１〜２７のいずれか１つの主題は、任意に、単一の部品の材料から形成されているレース・スプール、レース溝部、およびスプール軸を含むことが可能である。
【００２６】
例２９では、例２１〜２８のいずれか１つの主題は、任意に、クラッチ・システムを通してウォーム・ギヤに連結されているレース軸を含むことが可能であり、クラッチ・システムは、レース・スプールが作動停止させられたときに自由に回転することを可能にする。
【００２７】
図面は必ずしも実寸で描かれているわけではなく、図面において、同様の参照数字は、異なる図の中で同様の構成要素を説明している場合がある。異なる添え字を有する同様の参照数字は、同様の構成要素の異なる事例を表している場合がある。図面は、一般的に、例として、限定としてではないが、本文献の中で議論されているさまざまな実施形態を図示している。
【図面の簡単な説明】
【００２８】
【図１】いくつかの例示的な実施形態に係る電動式レーシング・システムの構成要素    を示す分解図。
【図２Ａ】いくつかの例示的な実施形態に係る電動式レーシング・エンジンを示す説    明図および図面。
【図２Ｂ】いくつかの例示的な実施形態に係る電動式レーシング・エンジンを示す説    明図および図面。
【図２Ｃ】いくつかの例示的な実施形態に係る電動式レーシング・エンジンを示す説    明図および図面。
【図２Ｄ】いくつかの例示的な実施形態に係る電動式レーシング・エンジンを示す説    明図および図面。
【図２Ｅ】いくつかの例示的な実施形態に係る電動式レーシング・エンジンを示す説    明図および図面。
【図２Ｆ】いくつかの例示的な実施形態に係る電動式レーシング・エンジンを示す説    明図および図面。
【図２Ｇ】いくつかの例示的な実施形態に係る電動式レーシング・エンジンを示す説    明図および図面。
【図２Ｈ】いくつかの例示的な実施形態に係る電動式レーシング・エンジンを示す説    明図および図面。
【図２Ｉ】いくつかの例示的な実施形態に係る電動式レーシング・エンジンを示す説    明図および図面。
【図２Ｊ】いくつかの例示的な実施形態に係る電動式レーシング・エンジンを示す説    明図および図面。
【図２Ｋ】いくつかの例示的な実施形態に係る電動式レーシング・エンジンを示す説    明図および図面。
【図２Ｌ】いくつかの例示的な実施形態に係る電動式レーシング・エンジンを示す説    明図および図面。
【図２Ｍ】いくつかの例示的な実施形態に係る電動式レーシング・エンジンを示す説    明図および図面。
【図２Ｎ】いくつかの例示的な実施形態に係る電動式レーシング・エンジンを示す説    明図および図面。
【図３Ａ】いくつかの例示的な実施形態に係る電動式レーシング・エンジンとインターフェース接続するためのアクチュエータを示す説明図および図面。
【図３Ｂ】いくつかの例示的な実施形態に係る電動式レーシング・エンジンとインタ    ーフェース接続するためのアクチュエータを示す説明図および図面。
【図３Ｃ】いくつかの例示的な実施形態に係る電動式レーシング・エンジンとインタ    ーフェース接続するためのアクチュエータを示す説明図および図面。
【図３Ｄ】いくつかの例示的な実施形態に係る電動式レーシング・エンジンとインタ    ーフェース接続するためのアクチュエータを示す説明図および図面。
【図４Ａ】いくつかの例示的な実施形態に係るレーシング・エンジンを保持するため    のミッドソール・プレートを示す説明図および図面。
【図４Ｂ】いくつかの例示的な実施形態に係るレーシング・エンジンを保持するため    のミッドソール・プレートを示す説明図および図面。
【図４Ｃ】いくつかの例示的な実施形態に係るレーシング・エンジンを保持するため    のミッドソール・プレートを示す説明図および図面。
【図４Ｄ】いくつかの例示的な実施形態に係るレーシング・エンジンを保持するため    のミッドソール・プレートを示す説明図および図面。
【図５Ａ】いくつかの例示的な実施形態に係るレーシング・エンジンおよび関連の構    成要素を収容するための、ミッドソールおよびアウトソールを示す説明図および図面。
【図５Ｂ】いくつかの例示的な実施形態に係るレーシング・エンジンおよび関連の構    成要素を収容するための、ミッドソールおよびアウトソールを示す説明図および図面。
【図５Ｃ】いくつかの例示的な実施形態に係るレーシング・エンジンおよび関連の構    成要素を収容するための、ミッドソールおよびアウトソールを示す説明図および図面。
【図５Ｄ】いくつかの例示的な実施形態に係るレーシング・エンジンおよび関連の構    成要素を収容するための、ミッドソールおよびアウトソールを示す説明図および図面。
【図６Ａ】いくつかの例示的な実施形態に係る電動式レーシング・エンジンを含むフ    ットウェア組立体の説明図。
【図６Ｂ】いくつかの例示的な実施形態に係る電動式レーシング・エンジンを含むフ    ットウェア組立体の説明図。
【図６Ｃ】いくつかの例示的な実施形態に係る電動式レーシング・エンジンを含むフ    ットウェア組立体の説明図。
【図６Ｄ】いくつかの例示的な実施形態に係る電動式レーシング・エンジンを含むフ    ットウェア組立体の説明図。
【図７】いくつかの例示的な実施形態に係るレーシング・エンジンを含むフットウェ    アの組み立てのためのフットウェア組み立てプロセスを図示するフローチャート。
【図８Ａ】いくつかの例示的な実施形態に係るミッドソールへの組み立ての準備のた    めのフットウェア・アッパーの組み立てのための組み立てプロセスを図示する図面。
【図８Ｂ】いくつかの例示的な実施形態に係るミッドソールへの組み立ての準備のた    めのフットウェア・アッパーの組み立てのための組み立てプロセスを図示するフロー    チャート。
【図９】いくつかの例示的な実施形態に係るレーシング・エンジンのスプールの中に    レースを固定するための機構を図示する図面。
【図１０Ａ】いくつかの例示的な実施形態に係る電動式レーシング・システムの構成    要素を図示するブロック図。
【図１１Ａ】いくつかの例示的な実施形態による電動式レーシング・エンジンのため    のモータ制御スキームを示す説明図。
【図１１Ｂ】いくつかの例示的な実施形態による電動式レーシング・エンジンのためのモータ制御スキームを示す説明図。
【図１１Ｃ】いくつかの例示的な実施形態による電動式レーシング・エンジンのため    のモータ制御スキームを示す説明図。
【図１１Ｄ】いくつかの例示的な実施形態による電動式レーシング・エンジンのため    のモータ制御スキームを示す説明図。
【発明を実施するための形態】
【００２９】
本明細書で提供されている見出しは、単に、便宜のためのものに過ぎず、必ずしも、使用されている用語の範囲または意味に影響を与えるわけではない。
自己締め付け式シュー・レースの概念は、最初に、１９８９年公開の映画バック・トゥ・ザ・フューチャＩＩ（Ｂａｃｋ  ｔｏ  ｔｈｅ  Ｆｕｔｕｒｅ  ＩＩ）の中のマーティ・マクフライ（Ｍａｒｔｙ  ＭｃＦｌｙ）によって着用された架空のパワー・レース付きのＮｉｋｅ（登録商標）スニーカによって広く知れわたった。Ｎｉｋｅ（登録商標）は、バック・トゥ・ザ・フューチャＩＩ（Ｂａｃｋ  ｔｏ  ｔｈｅ  Ｆｕｔｕｒｅ  ＩＩ）からの映画用小道具バージョンに外見が似ているパワー・レース付きのスニーカの少なくとも１つのバージョンをリリースしたが、これらの初期バージョンに用いられた内部機械システムおよび周囲のフットウェア・プラットフォームは、必ずしも、大量生産または日常使用に適しているわけではない。付加的に、電動式レーシング・システムに関する以前の設計は、多くの問題のうちの単にいくつかを強調すると、比較的に、高コストの製造、複雑さ、組み立ての困難さ、補修のしやすさの欠如、および、弱くまたは壊れやすい機械的機構などのような問題に悩まされていた。本発明者らは、なかでも、上記に議論されている問題のいくつかまたはすべてを解決する、電動式および非電動式のレーシング・エンジンを収容するために、モジュール式のフットウェア・プラットフォームを開発した。以下に議論されている構成要素は、それに限定されないが、補修のしやすい構成要素、交換可能な自動化されたレーシング・エンジン、強固な機械設計、信頼性の高い動作、合理化された組み立てプロセス、および、小売段階でのカスタマイズを含む、さまざまな利益を提供する。以下に説明されている構成要素のさまざまな他の利益は、当業者に明らかになることとなる。
【００３０】
以下に議論されている電動式レーシング・エンジンは、自動化されたレーシング・フットウェア・プラットフォームの強固な、補修のしやすい、および交換可能な構成要素を提供するために、徹底的に開発された。レーシング・エンジンは、モジュール式のフットウェア・プラットフォームの中への小売段階での最終組み立てを可能にする独自の設計要素を含む。レーシング・エンジン設計は、フットウェア組み立てプロセスの大半が、公知の組み立て技術を活用することを可能にし、標準的な組み立てプロセスへの独自の適合は、依然として、現在の組み立て資源を活用することができる。
【００３１】
例では、モジュール式の自動化されたレーシング・フットウェア・プラットフォームは、レーシング・エンジンを受け入れるための、ミッドソールに固定されたミッドソール・プレートを含む。ミッドソール・プレートの設計は、購入の時点において可能な限り遅く、レーシング・エンジンがフットウェア・プラットフォームの中へ落とされることを可能にする。ミッドソール・プレート、および、モジュール式の自動化されたフットウェア・プラットフォームの他の態様は、異なるタイプのレーシング・エンジンが相互交換可能に使用されることを可能にする。たとえば、以下に議論されている電動式レーシング・エンジンは、人力レーシング・エンジンと取り替えられ得る。代替的に、足存在センシング特徴または他の任意の特徴を備えた完全に自動的な電動式レーシング・エンジンが、標準的なミッドソール・プレートの中に収容され得る。
【００３２】
本明細書で議論されている自動化されたフットウェア・プラットフォームは、アウトソール・アクチュエータ・インターフェースを含むことが可能であり、締め付け制御をエンド・ユーザに提供し、また、半透明の保護アウトソール材料を通して投射されるＬＥＤ照明を通した視覚的なフィードバックを提供する。アクチュエータは、触感的および視覚的なフィードバックをユーザに提供し、レーシング・エンジンまたは他の自動化されたフットウェア・プラットフォームの構成要素の状態を示すことが可能である。
【００３３】
この最初の概要は、本特許出願の主題を導入することが意図されている。以下のより詳細な説明の中に開示されているさまざまな発明の排他的または包括的な説明を提供するということは意図されていない。
【００３４】
自動化されたフットウェア・プラットフォーム
以下は、電動式レーシング・エンジン、ミッドソール・プレート、および、プラットフォームのさまざまな他の構成要素を含む、自動化されたフットウェア・プラットフォームのさまざまな構成要素について議論している。本開示の多くは、電動式レーシング・エンジンに焦点を合わせているが、議論されている設計の機械的な態様の多くは、追加的な能力またはより少ない能力を備えた人力レーシング・エンジンまたは他の電動式レーシング・エンジンに適用可能である。したがって、「自動化されたフットウェア・プラットフォーム」の中で使用されているような「自動化された」という用語は、ユーザ入力なしに動作するシステムをカバーすることだけが意図されているわけではない。むしろ、「自動化されたフットウェア・プラットフォーム」という用語は、フットウェアのレースを締めたりまたは保持したりするシステムのための、さまざまな電動機構、および人力の機構、自動的に作動させられる機構、ならびに、人間により作動させられる機構を含む。
【００３５】
図１は、いくつかの例示的な実施形態に係るフットウェアのための電動式レーシング・システムの構成要素の分解図の説明図である。図１に図示されている電動式レーシング・システム１は、レーシング・エンジン１０、蓋２０、アクチュエータ３０、ミッドソール・プレート４０、ミッドソール５０、およびアウトソール６０を含む。図１は、自動化されたレーシング・フットウェア・プラットフォームの構成要素の基本的な組み立て順序を図示している。電動式レーシング・システム１は、ミッドソール・プレート４０がミッドソールの中に固定されることから始める。次に、アクチュエータ３０が、アウトソール６０の中に埋め込まれ得るインターフェース・ボタンとは反対側に、ミッドソール・プレートの外側の中の開口部の中へ挿入される。次に、レーシング・エンジン１０が、ミッドソール・プレート４０の中へ落とされる。例では、レーシング・システム１は、レーシング・ケーブルの連続的なループの下に挿入され、レーシング・ケーブルは、レーシング・エンジン１０の中のスプールと整合させられる（以下に議論されている）。最後に、蓋２０が、ミッドソール・プレート４０の中の溝部の中へ挿入され、閉位置へと固定され、ミッドソール・プレート４０の中の凹部の中へラッチ係合される。蓋２０は、レーシング・エンジン１０を捕獲することが可能であり、また、動作の間のレーシング・ケーブルの配列を維持することを支援することが可能である。
【００３６】
例では、フットウェア物品または電動式レーシング・システム１は、足存在特性をモニタリングもしくは決定することができる１つもしくは複数のセンサーを含むか、または、この１つもしくは複数のセンサーとインターフェース接続するように構成されている。１つまたは複数の足存在センサーからの情報に基づいて、電動式レーシング・システム１を含むフットウェアは、さまざまな機能を果たすように構成され得る。たとえば、足存在センサーは、足がフットウェアの中に存在しているかまたは存在していないかについてのバイナリー情報を提供するように構成され得る。足存在センサーからのバイナリー信号が、足が存在しているということを示す場合には、電動式レーシング・システム１が作動させられ得、フットウェア・レーシング・ケーブルを自動的に締め付けるかまたは弛緩させる（すなわち、緩める）ようになっている。例では、フットウェア物品は、プロセッサー回路を含み、プロセッサー回路は、足存在センサーからの信号を受信または解釈することが可能である。プロセッサー回路は、任意に、レーシング・エンジン１０の中に、または、レーシング・エンジン１０とともに、たとえば、フットウェア物品のソールの中などに、埋め込まれ得る。
【００３７】
レーシング・エンジン１０の例が、図２Ａ〜図２Ｎを参照して詳細に説明されている。アクチュエータ３０の例が、図３Ａ〜図３Ｄを参照して詳細に説明されている。ミッドソール・プレート４０の例が、図４Ａ〜図４Ｄを参照して詳細に説明されている。電動式レーシング・システム１のさまざまな追加的な詳細が、本説明の残りの部分の全体を通して議論されている。
【００３８】
図２Ａ〜図２Ｎは、いくつかの例示的な実施形態による電動式レーシング・エンジンを示す説明図および図面である。図２Ａは、例示的なレーシング・エンジン１０のさまざまな外部特徴を紹介しており、それは、ハウジング構造体１００、ケースねじ１０８、レース溝１１０（レース・ガイド・リリーフ１１０とも称される）、レース溝壁１１２、レース溝移行部１１４、スプール凹部１１５、ボタン開口部１２０、ボタン１２１、ボタン膜シール１２４、プログラミング・ヘッダー１２８、スプール１３０、およびレース溝部１３２を含む。ハウジング構造体１００の追加的な詳細が、図２Ｂを参照して以下に議論されている。
【００３９】
例では、レーシング・エンジン１０は、ケースねじ１０８などのような１つまたは複数のねじによって、一緒に保持されている。ケースねじ１０８は、１次駆動機構の近くに位置決めされており、レーシング・エンジン１０の構造的完全性を強化する。また、ケースねじ１０８は、たとえば、外部の繋ぎ目の超音波溶接のためにケースを一緒に保持するなど、組み立てプロセスを支援するように機能する。
【００４０】
この例では、レーシング・エンジン１０は、レース溝１１０を含み、自動化されたフットウェア・プラットフォームの中へ組み立てられると、レースまたはレース・ケーブルを受け入れる。レース溝１１０は、レース溝壁１１２を含むことが可能である。レース溝壁１１２は、面取りされた縁部を含むことが可能であり、動作の間にレース・ケーブルが走るための滑らかなガイド表面を提供する。レース溝１１０の滑らかなガイド表面の一部は、溝移行部１１４を含むことが可能であり、溝移行部１１４は、スプール凹部１１５に通じるレース溝１１０の広がった部分である。スプール凹部１１５は、溝移行部１１４から、スプール１３０の外形にぴったりと合う概して円形の部分の中へ移行している。スプール凹部１１５は、スプールに巻かれたレース・ケーブルを保つことを支援し、また、スプール１３０の位置を保つことを支援する。しかし、設計の他の態様は、スプール１３０の主要な保持を提供する。この例では、スプール１３０は、ヨーヨーの半分と同様に形状決めされており、レース溝部１３２が、平坦な頂面を通って走っており、スプール軸１３３（図２Ａには示されていない）が、反対側から下方に延在している。スプール１３０は、追加的な図を参照して以下にさらに詳細に説明されている。
【００４１】
レーシング・エンジン１０の側面は、ボタン開口部１２０を含み、ボタン開口部１２０は、機構を作動させるためのボタン１２１がハウジング構造体１００を通って延在することを可能にする。ボタン１２１は、スイッチ１２２の作動のための外部インターフェースを提供しており、それは、以下に議論されている追加的な図に図示されている。いくつかの例では、ハウジング構造体１００は、ボタン膜シール１２４を含み、ほこりおよび水からの保護を提供する。この例では、ボタン膜シール１２４は、最大で数ミル（１ミルは２５．４マイクロメートル（１０００分の１インチ））の厚さの透明プラスチック（または、同様の材料）であり、この透明プラスチックは、ハウジング構造体１００の上面から、角部を覆って、側面の下へ付着されている。別の例では、ボタン膜シール１２４は、ボタン１２１およびボタン開口部１２０をカバーする、５０．８マイクロメートル（２ミル）の厚さのビニール接着剤付きの膜である。
【００４２】
図２Ｂは、頂部１０２および底部１０４を含むハウジング構造体１００の説明図である。この例では、頂部１０２は、ケースねじ１０８、レース溝１１０、レース溝移行部１１４、スプール凹部１１５、ボタン開口部１２０、およびボタン・シール凹部１２６などのような、特徴を含む。ボタン・シール凹部１２６は、ボタン膜シール１２４のための嵌め込み部を提供するように解放される頂部１０２の一部分である。この例では、ボタン・シール凹部１２６は、頂部１０４の上面の外側の２、３ミル（１ミルは２５．４マイクロメートル）凹んだ部分であり、上面の外側縁部の一部分を覆って、頂部１０４の側面の一部分の長さにわたって下へ移行している。
【００４３】
この例では、底部１０４は、ワイヤレス充電器アクセス１０５、ジョイント１０６、およびグリース隔離壁１０９などのような、特徴を含む。また、具体的には識別されていないが、ケースねじ１０８を受け入れるためのケースねじベース、および、駆動機構の一部分を保持するためのグリース隔離壁１０９の中のさまざまな特徴が図示されている。グリース隔離壁１０９は、ギヤ・モータおよび密閉型のギヤ・ボックスを含むレーシング・エンジン１０の電気的な構成要素から離れるように、駆動機構を取り囲むグリースまたは同様の化合物を保つように設計されている。この例では、ウォーム・ギヤ１５０およびウォーム駆動部１４０は、グリース隔離壁１０９の中に含有されているが、一方、ギヤ・ボックス１４４およびギヤ・モータ１４５などのような、他の駆動に係る構成要素は、グリース隔離壁１０９の外側にある。さまざまな構成要素の位置決めは、たとえば、図２Ｂと図２Ｃとの比較を通して理解され得る。
【００４４】
図２Ｃは、例示的な実施形態に係るレーシング・エンジン１０のさまざまな内部構成要素の説明図である。この例では、レーシング・エンジン１０は、スプール磁石１３６、Ｏリング・シール１３８、ウォーム駆動部１４０、ブッシング１４１、ウォーム駆動キー１４２、ギヤ・ボックス１４４、ギヤ・モータ１４５、モータ・エンコーダ１４６、モータ回路基板１４７、ウォーム・ギヤ１５０、回路基板１６０、モータ・ヘッダー１６１、バッテリー接続部１６２、およびワイヤード充電ヘッダー１６３をさらに含む。スプール磁石１３６は、磁力計（図２Ｃには示されていない）による検出を通して、スプール１３０の移動をトラッキングすることを支援する。Ｏリング・シール１３８は、スプール軸１３３の周りにおいてレーシング・エンジン１０の中へ侵入し得るほこりおよび湿気をシールするように機能する。
【００４５】
この例では、レーシング・エンジン１０の主要な駆動に係る構成要素は、ウォーム駆動部１４０、ウォーム・ギヤ１５０、ギヤ・モータ１４５、およびギヤ・ボックス１４４を含む。ウォーム・ギヤ１５０は、ウォーム駆動部１４０およびギヤ・モータ１４５の逆転駆動を阻止するように設計されており、これは、レーシング・ケーブルからスプール１３０を介して入ってくる主要な入力の力が、比較的に大きいウォーム・ギヤおよびウォーム駆動部の歯の上に分散されるということを意味している。この配置は、フットウェア・プラットフォームの活動的な使用からの動的荷重、または、レーシング・システムを締め付けることからの締め付け荷重の両方に耐えるのに十分な強度のギヤを含むことを必要としないように、ギヤ・ボックス１４４を保護する。ウォーム駆動部１４０は、駆動システムのより壊れやすい部分、たとえば、ウォーム駆動キー１４２などを保護することを支援する追加的な特徴を含む。この例では、ウォーム駆動キー１４２は、ギヤ・ボックス１４４から出てくる駆動軸を通してピンとインターフェース接続するウォーム駆動部１４０のモータ端部の中の半径方向のスロットである。この配置は、ウォーム駆動部１４０が軸線方向に（ギヤ・ボックス１４４から離れるように）自由に移動することを可能にし、それらの軸線方向の荷重をブッシング１４１およびハウジング構造体１００に伝達することによって、ウォーム駆動部１４０がギヤ・ボックス１４４またはギヤ・モータ１４５に任意の軸線方向の力を付与することを防止する。
【００４６】
図２Ｄは、レーシング・エンジン１０の追加的な内部構成要素を示す説明図である。この例では、レーシング・エンジン１０は、ウォーム駆動部１４０、ブッシング１４１、ギヤ・ボックス１４４、ギヤ・モータ１４５、モータ・エンコーダ１４６、モータ回路基板１４７、およびウォーム・ギヤ１５０などのような、駆動に係る構成要素を含む。図２Ｄは、バッテリー１７０の説明図、および、上記に議論されている駆動に係る構成要素のうちのいくつかのよりよい図を加える。
【００４７】
図２Ｅは、レーシング・エンジン１０の内部構成要素を示す別の説明図である。図２Ｅでは、ウォーム・ギヤ１５０は、インデキシング（ｉｎｄｅｘｉｎｇ）・ホイール１５１（ジェネバ（Ｇｅｎｅｖａ）・ホイール１５１とも称される）をより良好に図示するために除去されている。さらに詳細に以下に説明されているように、インデキシング・ホイール１５１は、電気的なまたは機械的な故障および位置の喪失の場合に、駆動機構をホームに復帰させるための機構を提供する。この例では、レーシング・エンジン１０は、また、ワイヤレス充電インターコネクト１６５およびワイヤレス充電コイル１６６を含み、それらは、バッテリー１７０（これは、この図には図示されていない）の下に位置付けされている。この例では、ワイヤレス充電コイル１６６は、レーシング・エンジン１０の底部１０４の外部下面の上に装着されている。
【００４８】
図２Ｆは、例示的な実施形態に係るレーシング・エンジン１０の断面説明図である。図２Ｆは、スプール１３０の構造体を図示するだけでなく、どのようにレース溝部１３２およびレース溝１１０がレース・ケーブル１３１とインターフェース接続するかということを図示するのを支援する。この例に示されているように、レース１３１は、レース溝１１０を通ってスプール１３０のレース溝部１３２の中へ連続的に走っている。また、断面説明図は、レース凹部１３５およびスプール中間部を示しており、それらは、レース１３１がスプール１３０の回転によって巻き取られるときに、レース１３１が巻き重ねられることとなる場所である。スプール中間部１３７は、スプール１３０の上面の下に配設されている、円形の縮径部である。レース凹部１３５は、スプール１３０の上部によって形成されており、スプール１３０の上部は、スプール凹部１１５、スプール凹部１１５の側部および床部、ならびにスプール中間部１３７を実質的に充填するように、半径方向に延在している。いくつかの例では、スプール１３０の上部は、スプール凹部１１５を越えて延在することが可能である。他の例では、スプール１３０は、スプール凹部１１５の中に完全にフィットし、半径方向の上部が、スプール凹部１１５の側壁まで延在しているが、スプール１３０がスプール凹部１１５によって自由に回転することを可能にする。レース１３１は、レーシング・エンジン１０を横切って走るとレース溝部１３２によって捕獲され、これによってスプール１３０が回されるときに、レース１３１がレース凹部１３５の中のスプール１３０の本体部の上に回転させられるようになっている。
【００４９】
レーシング・エンジン１０の断面によって図示されているように、スプール１３０は、スプール軸１３３を含み、スプール軸１３３は、Ｏリング１３８を通り抜けた後に、ウォーム・ギヤ１５０と連結する。この例では、スプール軸１３３は、接続ピン１３４を介して、ウォーム・ギヤに連結されている。いくつかの例では、接続ピン１３４は、スプール軸１３３から１つの軸線方向だけに延在しており、また、ウォーム・ギヤ１５０の方向が逆にされるときに、接続ピン１３４が接触される前に、ウォーム・ギヤ１５０のほとんど完全な回転を可能にするように、ウォーム・ギヤの上のキーによって接触されている。また、クラッチ・システムは、スプール１３０をウォーム・ギヤ１５０に連結するように実装され得る。そのような例では、クラッチ機構は、レースを緩める（弛緩させる）ときにスプール１３０が自由に回ることを可能にするように作動させられ得る。接続ピン１３４がスプール軸１３３から１つの軸線方向だけに延在している例では、スプールは、ウォーム・ギヤ１５０が逆転駆動されている間に、弛緩プロセスの初期の作動のときに自由に移動することを許容される。弛緩プロセスの初期部分の間にスプール１３０が自由に移動することを可能にすることは、レース１３１のもつれを防止することを支援する。その理由は、それが、ユーザがフットウェアを緩め始めるための時間を提供し、次にそれによって、ウォーム・ギヤ１５０によって駆動される前にレース１３１を緩める方向に張力を与えることとなるからである。
【００５０】
図２Ｇは、例示的な実施形態に係るレーシング・エンジン１０の別の断面説明図である。図２Ｇは、図２Ｆと比較して、レーシング・エンジン１０のより内側の断面を図示しており、それは、回路基板１６０、ワイヤレス充電インターコネクト１６５、およびワイヤレス充電コイル１６６などのような、追加的な構成要素を図示している。また、図２Ｇは、スプール１３０およびレース１３１のインターフェースを取り囲む追加的な詳細を示すために使用される。
【００５１】
図２Ｈは、例示的な実施形態に係るレーシング・エンジン１０の上面図である。図２Ｈは、グリース隔離壁１０９を強調しており、また、どのようにグリース隔離壁１０９が、スプール１３０、ウォーム・ギヤ１５０、ウォーム駆動部１４０、およびギヤ・ボックス１４５を含む、駆動機構の特定の部分を取り囲むかということを図示している。特定の例では、グリース隔離壁１０９は、ウォーム駆動部１４０をギヤ・ボックス１４５から分離している。また、図２Ｈは、スプール１３０とレース・ケーブル１３１との間のインターフェースの上面図を提供しており、レース・ケーブル１３１が、スプール１３０の中のレース溝部１３２を通って内外方向に走っている。
【００５２】
図２Ｉは、例示的な実施形態に係るレーシング・エンジン１０のウォーム・ギヤ１５０およびインデックス・ホイール１５の一部分の上面の説明図である。インデックス・ホイール１５１は、腕時計製造およびフィルム映写機において使用される周知のジェネバ・ホイールに関するバリエーションである。典型的なジェネバ・ホイールまたは駆動機構は、たとえば、フィルム映写機において必要とされるように、または、腕時計の秒針を断続的に移動させるために、連続的な回転移動を断続的な運動に変換する方法を提供する。腕時計メーカは、機械的な腕時計スプリングの巻き過ぎを防止するために、異なるタイプのジェネバ・ホイールを使用したが、欠けているスロットを備えたジェネバ・ホイール（たとえば、ジェネバ・スロット１５７のうちの１つが欠けていることとなる）を使用している。欠けているスロットは、ジェネバ・ホイールのさらなる割り出しを防止することとなり、それは、スプリングを巻くことの原因であり、巻き過ぎを防止する。図示されている例では、レーシング・エンジン１０は、ジェネバ・ホイールについてのバリエーション、インデキシング・ホイール１５１を含み、インデキシング・ホイール１５１は、ホームに復帰する動作において停止機構として作用する小さい停止歯１５６を含む。図２Ｊ〜図２Ｍに図示されているように、標準的なジェネバ歯１５５は、インデックス歯１５２がジェネバ歯１５５のうちの１つの隣のジェネバ・スロット１５７に係合しているときに、ウォーム・ギヤ１５０のそれぞれの回転に関して単純に割り出しする。しかし、インデックス歯１５２が停止歯１５６の隣のジェネバ・スロット１５７に係合しているときに、より大きい力が生成され、それは、ホームに復帰する動作において駆動機構を失速させるために使用され得る。停止歯１５６は、モータ・エンコーダ１４６などのような、他の位置決め情報の喪失の場合にホームに復帰するための機構の公知の場所を生成させるために使用され得る。
【００５３】
図２Ｊ〜図２Ｍは、例示的な実施形態に係るインデックス動作を通して移動するウォーム・ギヤ１５０およびインデックス・ホイール１５１の説明図である。上記に議論されているように、これらの図は、図２Ｊから始めて図２Ｍにわたって、ウォーム・ギヤ１５０の単一の全回転の間に何が起こるかということを図示している。図２Ｊでは、ウォーム・ギヤ１５０のインデックス歯１５３は、ジェネバ歯１５５の第１のジェネバ歯１５５ａと停止歯１５６との間で、ジェネバ・スロット１５７の中に係合されている。図２Ｋは、第１のインデックス位置にあるインデックス・ホイール１５１を図示しており、ウォーム・ギヤ１５０によってインデックス歯１５３がその回転を開始するときに、第１のインデックス位置が維持される。図２Ｌでは、インデックス歯１５３は、第１のジェネバ歯１５５ａの反対側のジェネバ・スロット１５７に係合し始めている。最後に、図２Ｍでは、インデックス歯１５３は、第１のジェネバ歯１５５ａと第２のジェネバ歯１５５ｂとの間のジェネバ・スロット１５７の中に完全に係合されている。図２Ｊ〜図２Ｍに示されているプロセスは、インデックス歯１５３が停止歯１５６に係合するまで、ウォーム・ギヤ１５０のそれぞれの回転を続ける。上記に議論されているように、インデックス歯１５３が停止歯１５６に係合するときに、増加した力が、駆動機構を失速させることが可能である。
【００５４】
図２Ｎは、例示的な実施形態に係るレーシング・エンジン１０の分解図である。レーシング・エンジン１０の分解図は、どのようにすべてのさまざまな構成要素が組み合わさるかということの説明図を提供する。図２Ｎは、上下逆さまにレーシング・エンジン１０を示しており、底部１０４は、ページの上部にあり、頂部１０２は、底辺の近くにある。この例では、ワイヤレス充電コイル１６６が、底部１０４の外側（下）に付着されているとして示されている。また、この分解図は、どのようにウォーム駆動部１４０が、ブッシング１４１、駆動軸１４３、ギヤ・ボックス１４４、およびギヤ・モータ１４５とともに組み立てられるかということの良好な説明図を提供する。この説明図は、ウォーム駆動部１４０の第１の端部においてウォーム駆動キー１４２の中に受け入れられる駆動軸ピンを含まない。上記に議論されているように、ウォーム駆動部１４０は、駆動軸１４３上をスライドし、ウォーム駆動キー１４２の中の駆動軸ピンに係合し、ウォーム駆動キー１４２は、本質的に、ウォーム駆動部１４０の第１の端部において駆動軸１４３に対して横断方向に走るスロットである。
【００５５】
図３Ａ〜図３Ｄは、例示的な実施形態に係る電動式レーシング・エンジンとインターフェース接続するためのアクチュエータ３０を示す説明図および図面である。この例では、アクチュエータ３０は、ブリッジ３１０、光導体３２０、後部アーム３３０、中央アーム３３２、および前部アーム３３４などのような、特徴を含む。また、図３Ａは、複数のＬＥＤ３４０（ＬＥＤ３４０としても表される）、ボタン１２１、およびスイッチ１２２などのような、レーシング・エンジン１０の関連の特徴を図示している。この例では、後部アーム３３０および前部アーム３３４は、それぞれ、ボタン１２１を通してスイッチ１２２のうちの１つを別々に作動させることが可能である。また、アクチュエータ３０は、リセットまたは他の機能のようなものに関して、両方のスイッチ１２２の作動を同時に可能にするように設計されている。アクチュエータ３０の主要機能は、締め付けるコマンドおよび緩めるコマンドをレーシング・エンジン１０に提供することである。また、アクチュエータ３０は、光導体３２０を含み、光導体３２０は、ＬＥＤ３４０からフットウェア・プラットフォームの外部部分（たとえば、アウトソール６０）のある外に光を導く。光導体３２０は、複数の個々のＬＥＤ源からの光を分散させ、アクチュエータ３０の面にわたって均一にするように構造化されている。
【００５６】
この例では、アクチュエータ３０のアーム、すなわち、後部アーム３３０および前部アーム３３４は、スイッチ１２２の過剰作動を防止するためにフランジを含み、フットウェア・プラットフォームの側部への衝撃に対する安全の対策を提供する。また、大きい中央アーム３３２は、ボタン１２１に対するこれらの荷重の伝達を可能にする代わりに、レーシング・エンジン１０の側部に対する衝撃荷重を担うように設計されている。
【００５７】
図３Ｂは、アクチュエータ３０の側面図を提供しており、それは、前部アーム３３４の例示的な構造体、および、ボタン１２１との係合をさらに図示している。図３Ｃは、アクチュエータ３０の追加的な上面図であり、後部アーム３３０および前部アーム３３４を通る作動経路を図示している。また、図３Ｃは、断面線Ａ−Ａを示しており、それは、図３Ｄに図示されている断面に対応している。図３Ｄでは、アクチュエータ３０は、透過光３４５が点線で示されている状態で、断面で図示されている。光導体３２０は、ＬＥＤ３４０からの透過光３４５のための伝送媒体を提供する。また、図３Ｄは、アクチュエータ・カバー６１０および隆起したアクチュエータ・インターフェース６１５などのような、アウトソール６０の態様を図示している。
【００５８】
図４Ａ〜図４Ｄは、いくつかの例示的な実施形態に係るレーシング・エンジン１０を保持するためのミッドソール・プレート４０を示す説明図および図面である。この例では、ミッドソール・プレート４０は、レーシング・エンジン用空洞部４１０、内側レース・ガイド４２０、外側レース・ガイド４２１、蓋スロット４３０、前部フランジ４４０、後部フランジ４５０、上面４６０、下面４７０、およびアクチュエータ用切欠部４８０などのような、特徴を含む。レーシング・エンジン用空洞部４１０は、レーシング・エンジン１０を受け入れるように設計されている。この例では、レーシング・エンジン用空洞部４１０は、横方向および前後方向にレーシング・エンジン１０を保つが、レーシング・エンジン１０をポケットの中へロックするための任意の作り付けの特徴を含まない。任意に、レーシング・エンジン用空洞部４１０は、レーシング・エンジン１０をレーシング・エンジン用空洞部４１０の中に確実に保つことができる１つまたは複数の側壁に沿った、戻止部、タブ、または、同様の機械的な特徴を含むことが可能である。
【００５９】
内側レース・ガイド４２０および外側レース・ガイド４２１は、レース・エンジン・ポケット４１０の中へ、および、レーシング・エンジン１０（存在するとき）の上方へ、レース・ケーブルをガイドするのを支援する。内側の／外側レース・ガイド４２０，４２１は、面取りされた縁部、および、下方に傾斜した複数の傾斜路を含み、レース・ケーブルをレーシング・エンジン１０の上方の所望の位置へガイドするのを支援することが可能である。この例では、内側／外側レース・ガイド４２０，４２１は、ミッドソール・プレート４０の側部の中に開口部を含み、それらは、典型的なレーシング・ケーブルの直径よりも何倍も幅が広くなっており、他の例では、内側／外側レース・ガイド４２０，４２１のための開口部は、レーシング・ケーブルの直径よりも２、３倍だけ幅が広くなっていることも可能である。
【００６０】
この例では、ミッドソール・プレート４０は、彫られたまたは輪郭付けされた前部フランジ４４０を含み、前部フランジ４４０は、ミッドソール・プレート４０の内側においてはるかに遠くへ延在している。例示的な前部フランジ４４０は、フットウェア・プラットフォームのアーチの下に追加的なサポートを提供するように設計されている。しかし、他の例では、前部フランジ４４０は、内側において、より顕著でなくてもよい。この例では、後部フランジ４５０は、また、内側および外側の両方において、拡張された部分を備えた特定の輪郭を含む。図示されている後部フランジ４５０の形状は、レーシング・エンジン１０に関して、外側の安定性の強化を提供する。
【００６１】
図４Ｂ〜図４Ｄは、レーシング・エンジン１０を保つために、および、レース・ケーブル１３１を捕獲するために、ミッドソール・プレート４０の中へ蓋２０を挿入することを図示している。この例では、蓋２０は、ラッチ２１０、蓋レース・ガイド２２０、蓋スプール凹部２３０、および蓋クリップ２４０などのような、特徴を含む。蓋レース・ガイド２２０は、内側および外側の両方の蓋レース・ガイド２２０を含むことが可能である。蓋レース・ガイド２２０は、レーシング・エンジン１０の適正な部分を通るレース・ケーブル１３１の配列を維持するのを支援する。また、蓋クリップ２４０は、内側および外側の両方の蓋クリップ２４０を含むことが可能である。蓋クリップ２４０は、ミッドソール・プレート４０への蓋２０の取り付けのための枢動点を提供する。図４Ｂに図示されているように、蓋２０は、ミッドソール・プレート４０の中へ真っ直ぐ下へ挿入され、蓋クリップ２４０が、蓋スロット４３０を介してミッドソール・プレート４０に進入する。
【００６２】
図４Ｃに図示されているように、蓋クリップ２４０が蓋スロット４３０を通して挿入されると、蓋２０は、前側に移動され、蓋クリップ２４０のミッドソール・プレート４０との係合が解除されないように保つ。図４Ｄは、ラッチ２１０とミッドソール・プレート４０の中の蓋ラッチ凹部４９０との係合によってレーシング・エンジン１０およびレース・ケーブル１３１を固定するための、蓋クリップ２４０の周りの蓋２０の回転または枢動を図示している。蓋２０は、適切な位置に止められると、レーシング・エンジン１０をミッドソール・プレート４０の中に固定する。
【００６３】
図５Ａ〜図５Ｄは、いくつかの例示的な実施形態に係るレーシング・エンジン１０および関連の構成要素を収容するように構成されている、ミッドソール５０およびアウトソール６０を示す説明図および図面である。ミッドソール５０は、任意の適切なフットウェア材料から形成され得、また、ミッドソール・プレート４０および関連の構成要素を収容するためにさまざまな特徴を含む。この例では、ミッドソール５０は、プレート凹部５１０、前部フランジ凹部５２０、後部フランジ凹部５３０、アクチュエータ開口部５４０、およびアクチュエータ・カバー凹部５５０などのような、特徴を含む。プレート凹部５１０は、ミッドソール・プレート４０の対応する特徴にマッチするように、さまざまな切欠部および同様の特徴を含む。アクチュエータ開口部５４０は、フットウェア・プラットフォーム１の外側からのアクチュエータ３０へのアクセスを提供するようにサイズ決めおよび位置決めされている。アクチュエータ・カバー凹部５５０は、ミッドソール５０の凹んだ部分であり、その凹んだ部分は、図５Ｂおよび図５Ｃに図示されているように、アクチュエータ３０を保護するための、ならびに、レーシング・エンジン１０に対する主要ユーザ・インターフェースに関して特定の触感および視覚的な見た目を提供するための、成形されたカバーを収容するように適合されている。
【００６４】
図５Ｂおよび図５Ｃは、例示的な実施形態に係るミッドソール５０およびアウトソール６０の部分を図示している。図５Ｂは、例示的なアクチュエータ・カバー６１０および隆起したアクチュエータ・インターフェース６１５の説明図を含み、隆起したアクチュエータ・インターフェース６１５は、アクチュエータ・カバー６１０の中へ成形されているか、またはその他の方法で形成されている。図５Ｃは、アクチュエータ３０の光導体３２０部分を通してアウトソール６０へ透過される光の部分を分散させるための水平方向のストリッピングを含む、アクチュエータ６１０および隆起したアクチュエータ・インターフェース６１５の追加的な例を図示している。
【００６５】
図５Ｄは、ミッドソール５０の上のアクチュエータ・カバー凹部５５０をさらに図示しており、また、アクチュエータ・カバー６１０を適用する前の、アクチュエータ開口部５４０の中へのアクチュエータ３０の位置決めをさらに図示している。この例では、アクチュエータ・カバー凹部５５０は、アクチュエータ・カバー６１０をミッドソール５０およびアウトソール６０に付着させるために、接着剤を受け入れるように設計されている。  
【００６６】
図６Ａ〜図６Ｄは、いくつかの例示的な実施形態に係る電動式レーシング・エンジン１０を含むフットウェア組立体１の説明図である。この例では、図６Ａ〜図６Ｃは、レーシング・エンジン１０、ミッドソール・プレート４０、ミッドソール５０、およびアウトソール６０を含む、組み立てられた自動化されたフットウェア・プラットフォーム１を透視した例を示している。図６Ａは、自動化されたフットウェア・プラットフォーム１の外側の側面図である。図６Ｂは、自動化されたフットウェア・プラットフォーム１の内側の側面図である。図６Ｃは、アッパー部分が取り外された状態の、自動化されたフットウェア・プラットフォーム１の上面図である。上面図は、レーシング・エンジン１０、蓋２０、アクチュエータ３０、ミッドソール・プレート４０、ミッドソール５０、およびアウトソール６０の相対的な位置決めを実証している。この例では、上面図は、また、スプール１３０、内側レース・ガイド４２０、外側レース・ガイド４２１、前部フランジ４４０、後部フランジ４５０、アクチュエータ・カバー６１０、および隆起したアクチュエータ・インターフェース６１５を図示している。
【００６７】
図６Ｄは、いくつかの例示的な実施形態に係る例示的なレーシング構成を図示するアッパー７０の上面を示す説明図である。この例では、アッパー７０は、レース１３１およびレーシング・エンジン１０に加えて、外側レース固定部７１、内側レース固定部７２、外側レース・ガイド７３、内側レース・ガイド７４、およびブリオ（ｂｒｉｏ）・ケーブル７５を含む。図６Ｄに図示されている例は、連続的な編織物のアッパー７０を含み、斜めのレースパターンは、重複していない内側および外側のレース経路を伴っている。レースの経路は、外側レース固定部において開始し、複数の外側レース・ガイド７３を通り、レーシング・エンジン１０の上を通り、複数の内側レース・ガイド７４を通り、内側レース固定部７２に戻るように生成されている。この例では、レース１３１は、外側レース固定部７１から内側レース固定部７２への連続的なループを形成している。内側から外側への締め付けは、この例では、ブリオ・ケーブル７５を通して伝達される。他の例では、レース経路は、アッパー７０を横切って内外方向に締め付け力を伝達するために、十字になっているか、または、追加的な特徴を組み込むことが可能である。付加的に、連続的なレース・ループ概念は、中央の（内側の）ギャップを備えたより従来的なアッパーの中へ組み込まれ得、レース１３１は、中央のギャップを横切って、行ったり来たり十字になっている。
【００６８】
組み立てプロセス
図７は、いくつかの例示的な実施形態に係るレーシング・エンジン１０を含む自動化されたフットウェア・プラットフォーム１の組み立てのためのフットウェア組み立てプロセスを図示するフローチャートである。この例では、組み立てプロセスは、７１０においてアウトソール／ミッドソール組立体を取得する工程と、７２０においてミッドソール・プレートを挿入および付着する工程と、７３０においてレース付きのアッパーを取り付ける工程と、７４０においてアクチュエータを挿入する工程と、任意に、７４５において組立部品を小売店に出荷する工程と、７５０においてレーシング・エンジンを選択する工程と、７６０においてレーシング・エンジンをミッドソール・プレートの中へ挿入する工程と、７７０においてレーシング・エンジンを固定する工程などのような、動作を含む。さらに詳細に下記に説明されているプロセス７００は、説明されているプロセス動作のうちのいくつかまたはすべてを含むことが可能であり、また、プロセス動作のうちの少なくともいくつかは、さまざまな場所（たとえば、小売店と対比して製造工場）において起こることが可能である。特定の例では、プロセス７００を参照して議論されているプロセス動作のすべては、製造場所の中で完了され得、完了した自動化されたフットウェア・プラットフォームは、消費者へ、または、購入のための小売場所へ、直接的に送達される。また、プロセス７００は、レーシング・エンジン１０の組み立てに関連付けられる組み立て動作を含むことが可能であり、それらは、図１〜図４Ｄを含むさまざまな図を参照して上記に図示および議論されている。これらの詳細の多くは、単に簡潔化および明瞭化のために、以下に提供されるプロセス７００の説明を参照して具体的に議論されてはいない。
【００６９】
この例では、プロセス７００は、７１０において、アウトソールおよびミッドソール組立体、たとえば、ミッドソール５０およびアウトソール６０などを取得することから始まる。ミッドソール５０は、プロセス７００の間または前に、アウトソール６０に付着され得る。７２０において、プロセス７００は、ミッドソール・プレート、たとえば、ミッドソール・プレート４０などを、プレート凹部５１０の中へ挿入することを続け、いくつかの例では、ミッドソール・プレート４０は、下面の上に接着剤の層を含み、ミッドソール・プレートをミッドソールの中へ付着させる。他の例では、接着剤は、ミッドソール・プレートの挿入の前に、ミッドソールに塗布される。いくつかの例では、プレート凹部５１０の中へのミッドソール・プレート４０の組み立ての後に、接着剤が熱活性化させられ得る。さらなる他の例では、ミッドソールは、ミッドソール・プレートとの締り嵌めによって設計されており、それは、自動化されたフットウェア・プラットフォームの２つの構成要素を固定するために接着剤を必要としない。さらに他の例では、ミッドソール・プレートは、締り嵌めおよび接着剤などのような締結具の組み合わせを通して固定される。
【００７０】
７３０において、プロセス７００は、自動化されたフットウェア・プラットフォームのレース付きのアッパー部分がミッドソールに取り付けられることを続ける。レース付きのアッパー部分の取り付けは、任意の公知のフットウェア製造プロセスを通して行われ、レーシング・エンジン１０などのようなレーシング・エンジンとのその後の係合のために、ミッドソール・プレートの中への下側レース・ループの位置決めを伴う。たとえば、ミッドソール・プレート４０が挿入されている状態でレース付きのアッパーをミッドソール５０に取り付けると、下側レース・ループが、内側レース・ガイド４２０および外側レース・ガイド４２１と整合するように位置決めされ、それらは、組み立てプロセスにおいて後に挿入されるときに、レーシング・エンジン１０と係合するようにレース・ループを適正に位置決めする。アッパー部分の組み立てが、図８Ａ〜図８Ｂを参照してより詳細に以下に議論されており、それは、組み立ての間にどのようにレース・ループが形成され得るかということを含む。
【００７１】
７４０において、プロセス７００は、アクチュエータ３０などのようなアクチュエータをミッドソール・プレートの中へ挿入することを続ける。任意に、アクチュエータの挿入は、動作７３０におけるアッパー部分の取り付けの前に行われ得る。例では、ミッドソール・プレート４０のアクチュエータ用切欠部４８０の中へのアクチュエータ３０の挿入は、アクチュエータ３０とアクチュエータ用切欠部４８０との間のスナップ・フィットを伴う。任意に、プロセス７００は、７４５において、自動化されたフットウェア・プラットフォームの組立部品を小売場所または同様の販売場所へ出荷することを続ける。プロセス７００の中の残りの動作は、特別なツールまたは材料なしで実施され得、それは、自動化されたフットウェアの組立部品およびレーシング・エンジン・オプションのあらゆる組み合わせを製造して目録を作る必要なしに、小売段階で販売される製品のフレキシブルなカスタマイズを可能にする。たとえ、２つだけの異なるレーシング・エンジン・オプションが存在するとしても（たとえば、完全に自動化されたもの、および、手動で作動させられるもの）、小売段階においてフットウェア・プラットフォームを構成する能力は、融通性を強化し、レーシング・エンジンの補修を容易にすることを可能にする。
【００７２】
７５０において、プロセス７００は、レーシング・エンジンの選択を続け、それは、１つだけのレーシング・エンジンが利用可能であるケースでは、任意の動作である場合がある。例では、レーシング・エンジン１０（電動式レーシング・エンジン）が、動作７１０〜７４０から組立部品の中への組み立てのために選ばれる。しかし、上述のように、自動化されたフットウェア・プラットフォームは、完全に自動的な電動式レーシング・エンジンから人力手動で作動させられるレーシング・エンジンまで、さまざまなタイプのレーシング・エンジンを収容するように設計されている。動作７１０〜７４０において築かれる組立部品は、アウトソール６０、ミッドソール５０、およびミッドソール・プレート４０などのような構成要素とともに、モジュール式のプラットフォームを提供し、幅広い範囲の任意の自動化に係る構成要素を収容する。
【００７３】
７６０において、プロセス７００は、選択されたレーシング・エンジンをミッドソール・プレートの中へ挿入することを続ける。たとえば、レーシング・エンジン１０は、レーシング・エンジン用空洞部４１０を通って走るレース・ループの下にレーシング・エンジン１０が滑り込まされた状態で、ミッドソール・プレート４０の中へ挿入され得る。レーシング・エンジン１０が適切な場所にある状態で、および、レーシング・エンジンのスプール、たとえば、スプール１３０などの中にレース・ケーブルが係合されている状態で、蓋（または、同様の構成要素）が、ミッドソール・プレートの中へ据え付けられ、レーシング・エンジン１０およびレースを固定することが可能である。レーシング・エンジン１０を固定するために蓋２０をミッドソール・プレート４０の中へ据え付けることの例が、図４Ｂ〜図４Ｄに図示され、上記に議論されている。蓋がレーシング・エンジンの上に固定された状態で、自動化されたフットウェア・プラットフォームは完成しており、活動的な使用の準備ができている。
【００７４】
図８Ａ〜図８Ｂは、いくつかの例示的な実施形態に係るミッドソールへの組み立ての準備のためのフットウェア・アッパーの組み立てのための組み立てプロセス８００を概して図示する１組の説明図およびフローチャートを含む。
【００７５】
図８Ａは、上記に議論されているプロセス７００などのような、自動化されたフットウェア・プラットフォームの中への最終的な組み立てのために、フットウェア組立体のレース付きのアッパー部分を組み立てる一連の組み立て動作を視覚的に示している。図８Ａに図示されているプロセス８００は、図８Ｂを参照してさらに以下に議論されている動作を含む。この例では、プロセス８００は、動作８１０から開始し、それは、編物のアッパーおよびレース（レース・ケーブル）を取得する工程を伴う。次に、動作８２０において、編物のアッパーの第１の半分に、レースが付けられる。この例では、アッパーにレースを通す工程は、レース・ケーブルを複数のレース穴に通す工程、および、アッパーの前部に一方の端部を固定する工程を伴う。次に、動作８３０において、レース・ケーブルは、アッパーを支持する治具の下を通って、反対側に取り回される。いくつかの例では、治具は、所望のレース・ループ長さを生成させるために、特定の経路を形成する溝または形状を含む。次いで、動作８４０において、治具の周りにレースの下側ループを維持しながら、アッパーの他方の半分にレースが付けられる。また、動作８４０の図示されているバージョンは、レースを締め付ける工程を含むことが可能であり、それは、図８Ｂの中の動作８５０である。８６０において、レースは、固定および切り落とされ、８７０において、治具が取り外され、下側レース・ループがアッパー部分の下にある状態で、レース付きの編物のアッパーを残す。
【００７６】
図８Ｂは、フットウェア・アッパーの組み立てのためのプロセス８００の別の例を図示するフローチャートである。この例では、プロセス８００は、８１０においてアッパーおよびレース・ケーブルを取得する工程と、８２０においてアッパーの第１の半分にレースを通す工程と、８３０においてレース治具の下にレースを通す工程と、８４０においてアッパーの第２の半分にレースを通す工程と、８５０においてレーシングを締め付ける工程、８６０においてアッパーを完成させる工程と、８７０においてレース治具を取り外す工程などのような動作を含む。
【００７７】
プロセス８００は、８１０において、組立体になるように、アッパーおよびレース・ケーブルを取得することによって始まる。アッパーを取得することは、プロセス８００の他の動作を通して使用されるレース治具の上にアッパーを設置することを含むことが可能である。上述のように、レース治具の１つの機能は、特定のフットウェア・アッパーに関して繰り返し可能なレース・ループを発生させるための機構を提供することであることが可能である。特定の例では、治具は、シューズのサイズに依存する可能性があり、一方、他の例では、治具は、複数のサイズおよび／またはアッパー・タイプに対応することが可能である。８２０において、プロセス８００は、アッパーの第１の半分にレース・ケーブルを通すことによって続く。レーシング動作は、アッパーの中に埋め込まれている一連のレース穴または同様の特徴にレース・ケーブルを通すことを含むことが可能である。また、８２０におけるレーシング動作は、レース・ケーブルの一方の端部（たとえば、第１の端部）をアッパーの一部分に固定することを含むことが可能である。レース・ケーブルを固定することは、レース・ケーブルの第１の端部をアッパーの固定部分に縫い付けること、結んで留めること、または、その他の方法で終端させることを含むことが可能である。
【００７８】
８３０において、プロセス８００は、アッパーの下に、および、レース治具の周りに、レース・ケーブルの自由端部を通すことを続ける。この例では、レース治具は、アッパーがミッドソール／アウトソール組立体と接合された後に、レーシング・エンジンとの最終的な係合のために、アッパーの下に適正なレース・ループを生成させるために使用される（上記の図７の議論を参照）。レース治具は、溝部または同様の特徴を含み、プロセス８００の続いて起こる動作の間にレース・ケーブルを少なくとも部分的に保つことが可能である。
【００７９】
８４０において、プロセス８００は、レース・ケーブルの自由端部によって、アッパーの第２の半分にレースを通す。第２の半分にレースを通すことは、アッパーの第２の半分の上の第２の一連のレース穴または同様の特徴にレース・ケーブルを通すことを含むことが可能である。８５０において、プロセス８００は、下側レース・ループがレーシング・エンジンとの適正な係合のために適正に形成されることを保証するために、さまざまなレース穴を通して、レース治具の周りに、レース・ケーブルを締め付ける。レース治具は、適正なレース・ループ長さを取得するのを支援し、異なるレース治具は、フットウェアの異なるサイズまたはスタイルに関して使用され得る。レーシング・プロセスは、８６０においてレース・ケーブルの自由端部がアッパーの第２の半分に固定されることによって完成される。また、アッパーの完成は、追加的な切り落とし動作または縫合動作を含むことが可能である。最後に、８７０において、プロセス８００は、レース治具からのアッパーの取り外しによって完了する。
【００８０】
図９は、いくつかの例示的な実施形態に係るレーシング・エンジンのスプールの中にレースを固定するための機構を図示する図面である。この例では、レーシング・エンジン１０のスプール１３０は、レース溝部１３２の中にレース・ケーブル１３１を受け入れる。図９は、フェルールを備えたレース・ケーブル、および、フェルールを受け入れるための凹部を含むレース溝部を備えたスプールを含む。この例では、フェルールは、凹部の中へスナップ（たとえば、締り嵌め）し、レース・ケーブルをスプールの中に保つのを支援する。他の例示的なスプール、たとえば、スプール１３０などは、凹部を含まず、自動化されたフットウェア・プラットフォームの他の構成要素が、スプールのレース溝部の中にレース・ケーブルを保つために使用される。
【００８１】
図１０Ａは、いくつかの例示的な実施形態に係るフットウェアのための電動式レーシング・システムの構成要素を図示するブロック図である。システム１０００は、電動式レーシング・システムの基本的な構成要素を図示しており、たとえば、インターフェース・ボタン、足存在センサー、プロセッサー回路を備えたプリント回路基板組立体（ＰＣＡ）、バッテリー、充電コイル、エンコーダ、モータ、トランスミッション、およびスプールなどを含む。この例では、インターフェース・ボタンおよび足存在センサーは、回路基板（ＰＣＡ）と通信しており、また、回路基板（ＰＣＡ）は、バッテリーおよび充電コイルと通信している。また、エンコーダおよびモータは、回路基板におよび互いに接続されている。トランスミッションは、モータをスプールに連結し、駆動機構を形成する。
【００８２】
例では、プロセッサー回路は、駆動機構の１つまたは複数の態様を制御する。たとえば、プロセッサー回路は、ボタンから、および／または、足存在センサーから、および／または、バッテリーから、および／または、駆動機構から、および／または、エンコーダから、情報を受信するように構成され得、また、たとえば、他の機能の中でも、フットウェアを締め付けるかもしくは緩めるために、または、センサー情報を取得するかまたは記録するなどのために、コマンドを駆動機構に発行するようにさらに構成され得る。
【００８３】
モータ制御スキーム
図１１Ａ〜図１１Ｄは、いくつかの例示的な実施形態に係る電動式レーシング・エンジンのためのモータ制御スキーム１１００を示す説明図である。この例では、モータ制御スキーム１１００は、レース巻き取りの観点から合計トラベルをセグメントに分割することを伴い、セグメントは、レース・トラベル（たとえば、一方の端にある「ホーム／緩い」位置と、他方の端にある最大締め付けとの間）の連続体の上の位置に基づいて、サイズが変化している。モータが、ラジアル・スプールを制御しており、モータ軸の上のラジアル・エンコーダを介して主に制御されることとなるので、セグメントは、スプール・トラベルの角度の観点からサイズ決めされ得る（それは、エンコーダ・カウントの観点から見ることも可能である）。連続体の「緩い」側において、セグメントは、たとえば、１０度のスプール・トラベルなど、より大きくなっていることが可能である。その理由は、レース移動の量が、重要ではないからである。しかし、レースが締め付けられるにつれて、レース・トラベルのそれぞれのインクリメントが、所望の量のレース締め付けを取得するためにますます重要になる。モータ電流などのような、他のパラメータが、レース締め付けまたは連続体位置の二次的な対策として使用され得る。図１１Ａは、締め付け連続体に沿った位置に基づいて、異なるセグメント・サイズの説明図を含む。
【００８４】
図１１Ｂは、現在の締め付け連続体位置および所望の端の位置に基づいて、運動プロファイルの表を構築するために締め付け連続体位置を使用することを図示している。次いで、運動プロファイルは、ユーザ入力ボタンからの特定の入力へ変換され得る。運動プロファイルは、スプール運動のパラメータ、たとえば、加速度（Ａｃｃｅｌ（度／秒／秒））、速度（Ｖｅｌ（度／秒））、減速度（Ｄｅｃ（度／秒／秒））、および、移動の角度（Ａｎｇｌｅ（度））などを含む。図１１Ｃは、経時的な速度のグラフの上にプロットされている例示的な運動プロファイルを示している。
【００８５】
図１１Ｄは、締め付け連続体に沿ってさまざまな運動プロファイルを作動させるための例示的なユーザ入力を図示するグラフィックである。
その他の注意事項
本明細書を通して、複数の事例は、単一の事例として記述される構成要素、操作、または構造を実装することができる。１つ以上の方法の個々の操作が別々の操作として図示され説明されているが、１つ以上の個々の操作が同時に実行されてもよく、操作が図示の順序で実行される必要はない。例示的な構成において別々の構成要素として提示される構造および機能は、結合された構造または構成要素として実装されてもよい。同様に、単一の構成要素として提示される構造および機能は、別個の構成要素として実装されてもよい。これらおよび他の変形、修正、追加および改良は、本明細書の主題の範囲内に入る。
【００８６】
本発明の主題の概要は、特定の例示的な実施形態を参照して記載されているが、本開示のより広い範囲から逸脱することなく、これらの実施形態に対して様々な修正および変更を行うことができる。本発明の主題のそのような実施形態は、便宜上のためだけに、そして本出願の範囲を任意の単一の開示または発明の概念に自発的に限定しようとするものではなく、実際に開示されている。
【００８７】
本明細書に示す実施形態は、当業者が開示された教示を実施することを可能にするために十分詳細に記載されている。本開示の範囲から逸脱することなく、構造的および論理的な置換および変更を行うことができるように、他の実施形態を使用し、そこから誘導することができる。従って、開示は限定的な意味で解釈されるべきではなく、様々な実施形態の範囲は、開示される主題が権利を与えられる均等物の全範囲を含む。
【００８８】
本明細書中で使用される場合、用語「または」は、包括的または排他的な意味で解釈され得る。さらに、複数の例が、本明細書で説明されるリソース、動作、または構造に対して単一の例として提供されてもよい。さらに、様々なリソース、操作、モジュール、エンジン、およびデータストア間の境界は、いくぶん恣意的であり、特定の動作は、特定の例示的な構成の状況で示されている。機能の他の割り当てが想定されており、本開示の様々な実施形態の範囲内に入る可能性がある。一般に、構成例において別個のリソースとして提示される構造および機能は、結合された構造またはリソースとして実装されてもよい。同様に、単一のリソースとして提示される構造および機能性は、別個のリソースとして実装されてもよい。これらおよび他の変形、修正、追加および改良は、添付の特許請求の範囲によって表される本開示の実施形態の範囲内に含まれる。したがって、明細書および図面は、限定的ではなく例示的なものとみなされるべきである。
【００８９】
これらの非限定的な例の各々は、それ自体でも有効であるし、１つ以上の他の例との様々な順列または組み合わせで組み合わせることもできる。
上記の詳細な説明は、詳細な説明の一部を形成する添付の図面の参照を含む。図面は、例示として、本発明を実施することができる特定の実施形態を示す。これらの実施形態は、本明細書では「実施例」または「例」とも呼ばれる。そのような実施例は、図示または説明されたものに加えて要素を含むことができる。しかしながら、本発明者らは、図示または記載された要素のみが提供される実施例も企図する。さらに、本発明者らは、特定の例（またはその１つまたは複数の態様）に関して、または示されたまたは記載された要素（またはその１つまたは複数の態様）の任意の組み合わせまたは置換を使用する例を企図するか、または他の例（またはその１つまたは複数の態様）を示す。
【００９０】
この文書とこれに参照として組み入れられた文書との間に一貫性のない使用があった場合、この文書の使用が制御される。
本明細書では、特許文献において一般的であるように、構成要素等を単数で記載する場合、「少なくとも１つの」または「１以上の」という他の記載または使用とは別に、１つまたは複数を含む。本明細書において、特に断りのない限り、「または」は非排他的に用いられ、例えば「ＡまたはＢ」というときには、「ＡではあるがＢではない」、「ＢではあるがＡではない」、および「ＡおよびＢ」を含む。本明細書では、「含む（ｉｎｃｌｕｄｉｎｇ）」という用語は、「備える（ｃｏｍｐｒｉｓｉｎｇ）」と同義で使用される。以下の請求項において、「含む」「備える」の後に構成を列挙する場合、その他の構成が加えられてもよい。システム、装置、物品、組成物、配合物、またはプロセスにおいて、列挙された構成に他の構成が追加されたとしても、それらは依然としてその請求の範囲内にある。
【００９１】
さらに、以下の特許請求の範囲において、「第１」、「第２」および「第３」などの用語は単に区別のために使用され、それらが付されたものに順番に係る要件を課すことを意図しない。
【００９２】
モータ制御の例のような本明細書に記載の方法の例は、少なくとも部分的に機械的にまたはコンピュータで実施することができる。いくつかの例は、上記の例で説明した方法を実行するように電子デバイスを構成するように動作可能な命令でコード化された、コンピュータが読み取り可能な媒体または機械で読み取り可能な媒体を含むことができる。そのような方法の実装には、マイクロコード、アセンブリ言語コード、高水準言語コードなどのコードを含めることができる。そのようなコードは、様々な方法を実行するためのコンピュータ可読命令を含むことができる。コードは、コンピュータプログラム製品の一部を形成することができる。さらに、一例では、コードは、実行中または他の時など、１つまたは複数の揮発性、非一時的、または不揮発性の有形のコンピュータで読み取り可能な媒体に有形に格納することができる。これらの具体的なコンピュータで読み取り可能な媒体の例には、ハードディスク、リムーバブル磁気ディスク、取り外し可能な光ディスク（例えば、コンパクトディスクおよびデジタルビデオディスク）、磁気カセット、メモリカードまたはスティック、ランダムアクセスメモリ（ＲＡＭ）、読み出し専用メモリ（ＲＯＭ）などが含まれる。
【００９３】
上記の説明は例示的なものであり、限定的なものではない。例えば、上記の例（またはその１つまたは複数の態様）は、互いに組み合わせて使用されてもよい。上記の説明を検討することにより、当業者によって、他の実施形態を使用することができる。読者が技術的開示の性質を迅速に確認できるように、要約書が含まれていればそれが含まれる。請求の範囲または意味を解釈または制限するために使用しないように理解されたい。また、上記の説明では、様々な特徴をグループ化して、開示を合理化することができる。これは、クレームされていない開示された特徴がクレームに不可欠であることを意図していると解釈されるべきではない。むしろ、本発明の主題は、開示された特定の実施形態のすべての特徴よりも少なくてもよい。したがって、添付の特許請求の範囲は、実施形態または実施形態としての詳細な説明に組み込まれ、各請求項は、別個の実施形態として独立して立証され、そのような実施形態は、様々な組み合わせまたは順列で互いに組み合わせることができる。本発明の範囲は、添付の特許請求の範囲を参照して、そのような特許請求の範囲が権利を与えられる等価物の全範囲とともに決定されるべきである。
【図１】
2020054831.tif 000003
【図２Ａ】
2020054831.tif 000004
【図２Ｂ】
2020054831.tif 000005
【図２Ｃ】
2020054831.tif 000006
【図２Ｄ】
2020054831.tif 000007
【図２Ｅ】
2020054831.tif 000008
【図２Ｆ】
2020054831.tif 000009
【図２Ｇ】
2020054831.tif 000010
【図２Ｈ】
2020054831.tif 000011
【図２Ｉ】
2020054831.tif 000012
【図２Ｊ】
2020054831.tif 000013
【図２Ｋ】
2020054831.tif 000014
【図２Ｌ】
2020054831.tif 000015
【図２Ｍ】
2020054831.tif 000016
【図２Ｎ】
2020054831.tif 000017
【図３Ａ】
2020054831.tif 000018
【図３Ｂ】
2020054831.tif 000019
【図３Ｃ】
2020054831.tif 000020
【図３Ｄ】
2020054831.tif 000021
【図４Ａ】
2020054831.tif 000022
【図４Ｂ】
2020054831.tif 000023
【図４Ｃ】
2020054831.tif 000024
【図４Ｄ】
2020054831.tif 000025
【図５Ａ】
2020054831.tif 000026
【図５Ｂ】
2020054831.tif 000027
【図５Ｃ】
2020054831.tif 000028
【図５Ｄ】
2020054831.tif 000029
【図６Ａ】
2020054831.tif 000030
【図６Ｂ】
2020054831.tif 000031
【図６Ｃ】
2020054831.tif 000032
【図６Ｄ】
2020054831.tif 000033
【図７】
2020054831.tif 000034
【図８Ａ】
2020054831.tif 000035
【図８Ｂ】
2020054831.tif 000036
【図９】
2020054831.tif 000037
【図１０Ａ】
2020054831.tif 000038
【図１１Ａ】
2020054831.tif 000039
【図１１Ｂ】
2020054831.tif 000040
【図１１Ｃ】
2020054831.tif 000041
【図１１Ｄ】
2020054831.tif 000042
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
レースを含むアッパー部分であって、前記レースは、前記アッパー部分を足に合わせるように調節するためのものである、アッパー部分と、
レーシング・エンジンであって、前記レーシング・エンジンの上面から露出する頂部搭載型のレース・スプールを含み、前記レース・スプールの回転を通して前記レースの有効長さの操作を可能にするように前記レースのループに係合し、前記レーシング・エンジンは、下側部分内の空洞部の中に受け入れられている、レーシング・エンジンと、
を備える、モジュール式のフットウェア装置。
【請求項２】
頂部搭載型の前記スプールは、レース溝部を含み、
前記レース溝部は、前記スプールの直径線上に延びて、前記レースの前記ループを受け入れる、請求項１に記載のモジュール式のフットウェア装置。
【請求項３】
前記レーシング・エンジンは、レース溝部を備えた頂部を含み、
前記レース溝部は、頂部搭載型の前記レース・スプールと整合して、内外方向に延びている、請求項１に記載のモジュール式のフットウェア装置。
【請求項４】
前記レース溝部は、頂部搭載型の前記レース・スプールの内側にある内側部分と、頂部搭載型の前記レース・スプールの外側にある外側部分と、を含む、請求項３に記載のモジュール式のフットウェア装置。
【請求項５】
前記レース溝部の前記内側部分および前記外側部分は、スプール凹部へと移行している、請求項４に記載のモジュール式のフットウェア装置。
【請求項６】
頂部搭載型の前記レース・スプールは上面より下に縮径部を含み、
前記縮径部は、前記レースが頂部搭載型の前記レース・スプールに巻き取られるときに前記レースの一部分を収容するように適合される、請求項１に記載のモジュール式のフットウェア装置。
【請求項７】
前記頂部搭載型のレース・スプールはレース溝部を含み、
前記レース溝部は、頂部搭載型の前記スプールの上面を縮径スプール部分へと二分し、前記縮径スプール部分は、頂部搭載型の前記スプールが第１方向に回転させられるときに、前記レースを受け入れるように適合されている、請求項１に記載のモジュール式のフットウェア装置。
【請求項８】
ミッドソール・プレートを含み、前記レーシング・エンジンを受け入れる、ミッドソールを備え、
前記ミッドソール・プレートは、前記下側部分の残りの部分よりも実質的に剛性が高い材料から形成されている、請求項１に記載のモジュール式のフットウェア装置。
【請求項９】
前記ミッドソール・プレートは、内側レース・ガイドおよび外側レース・ガイドを含む、請求項８に記載のモジュール式のフットウェア装置。
【請求項１０】
前記ミッドソール・プレートは、蓋を受け入れて固定するために、内側の蓋スロット、外側の蓋スロット、および蓋ラッチ凹部を含む、請求項９に記載のモジュール式のフットウェア装置。
【請求項１１】
前記蓋は、前記ミッドソール・プレートに固定されると、前記ミッドソール・プレート内の前記空洞部の中に前記レーシング・エンジンを保つ、請求項１０に記載のモジュール式のフットウェア装置。
【請求項１２】
レースを含むアッパー部分であって、前記レースは、前記アッパー部分を足に合わせるように調節するためのものである、アッパー部分と、
前記アッパー部分に連結されている、下側部分と、
前記下側部分内の空洞部の中に受け入れられ得る頂部搭載型のレーシング・エンジンであって、前記頂部搭載型のレーシング・エンジンは、上面を有し、前記レーシング・エンジンが作動する場合に前記レースの有効長さの操作を可能にするために前記レースの連続的なループを前記レーシング・エンジンに導くように適合され、前記レースの前記連続的なループは前記空洞部の幅を横切る内外方向に走る、頂部搭載型のレーシング・エンジンと、
を備える、モジュール式のフットウェア装置。
【請求項１３】
前記頂部搭載型のレーシング・エンジンの前記上面は、前記連続的なループを前記レーシング・エンジンに導くためのレース溝部を含む、請求項１２に記載のモジュール式のフットウェア装置。
【請求項１４】
前記頂部搭載型のレーシング・エンジンは、前記レースの前記連続的なループに係合し、
前記レーシング・エンジンによって回転する場合に前記有効長さを操作するように適合されるレース・スプールを含む、請求項１２に記載のモジュール式のフットウェア装置。
【請求項１５】
前記レース・スプールは、前記レースの前記連続的なループを受け入れるために、前記レース・スプールの直径線上に延びるレース溝部を含む、請求項１４に記載のモジュール式のフットウェア装置。
【請求項１６】
前記レース溝部は、前記上面を通って下方に、前記レース・スプールの縮径部まで延びる、請求項１５に記載のモジュール式のフットウェア装置。
【請求項１７】
前記レース・スプールの前記縮径部は、前記レース・スプールが第１方向に回転するときに前記レースを受け入れるように適合される、請求項１６に記載のモジュール式のフットウェア装置。
【請求項１８】
前記上面は、円形の凹部を含み、頂部搭載型のレース・スプールの上面を露出させ、前記頂部搭載型のレース・スプールの上面は、レース溝部によって２つの半円形部分に二分される、請求項１２に記載のモジュール式のフットウェア装置。
【請求項１９】
前記レース溝部は、前記頂部搭載型のレース・スプールの上面を縮径スプール部分へと二分し、前記縮径スプール部分は、頂部搭載型の前記レース・スプールが第１方向に回転するときに前記レースを受け入れるように適合される、請求項１８に記載のモジュール式のフットウェア装置。
【請求項２０】
前記頂部搭載型のレーシング・エンジンは、レース溝部を備えた頂部を含み、
前記レース溝部は、レース・スプールと整合して、内外方向に延びており、前記レース・スプールの内側にある内側部分と、前記レース・スプールの外側にある外側部分と、を含む、請求項１２に記載のモジュール式のフットウェア装置。
【請求項２１】
前記レース溝部の前記内側部分と前記外側部分とは、それぞれ、前記レースの連続的なループを前記レーシング・エンジンに導くように適合される、請求項２０に記載のモジュール式のフットウェア装置。
【請求項２２】
前記下側部分の上に配置されたミッドソールをさらに含み、
前記ミッドソールは、前記頂部搭載型のレーシング・エンジンを受け入れる前記空洞部を有するミッドソール・プレートを含む、請求項１２に記載のモジュール式のフットウェア装置。
【請求項２３】
前記ミッドソール・プレートは、前記下側部分の残りの部分よりも剛性が高い材料から形成されている、請求項２２に記載のモジュール式のフットウェア装置。
【請求項２４】
前記ミッドソール・プレートに連結され、前記空洞部の中の前記頂部搭載型のレーシング・エンジンを固定するように適合された蓋をさらに含む、請求項２２に記載のモジュール式のフットウェア装置。
【請求項２５】
レースの締め付けで使用されるフットウェア装置用のレーシング・エンジンであって、
前記フットウェア装置の下側部分内の空洞部の中に受け入れられ得るハウジングと、
前記ハウジングの上面から露出し、回転する場合に前記レースの有効長さの操作が可能であるようにレースの連続的なループを受け入れるように適合されたレース・スプールであって、前記レースの前記連続的なループは前記ハウジングの幅を横切る内外方向に走る、レース・スプールと、
を含む、レーシング・エンジン。
【外国語明細書】
2020054831000001.pdf